(57)【要約】  特許請求される主題の実施形態は、時分割複信に従って動作するワイヤレス通信システムでアップリンク過負荷インジケータを送信する方法および装置を提供する。この方法の一実施形態は、第１の基地局でのアップリンク信号の受信のために割り振られた時分割複信（ＴＤＤ）フレームの少なくとも１つのサブフレームで第１の基地局が干渉を検出したことを示すメッセージを第１の基地局から第２の基地局に送信することを含む。干渉の一部は、ＴＤＤフレームのサブフレームで第２の基地局からのダウンリンク送信によって生成される。
2015512176.tif 000002
【特許請求の範囲】
【請求項１】
第１の基地局でのアップリンク信号の受信のために割り振られた時分割複信（ＴＤＤ）フレームの少なくとも１つのサブフレームで前記第１の基地局が干渉を検出したことを示すメッセージを前記第１の基地局から第２の基地局に送信するステップであって、前記干渉の一部が、前記ＴＤＤフレームの前記少なくとも１つのサブフレームで前記第２の基地局からのダウンリンク送信によって生成される、ステップ
を含む方法。
【請求項２】
前記第２の基地局によって送信される共通基準信号を監視するためにネットワーク・リスニング・モードを使用して、前記第１の基地局で前記少なくとも１つのサブフレームでの前記干渉を検出するステップを含む請求項１に記載の方法。
【請求項３】
前記共通基準信号の信号強度が所定のしきい値よりも高いとき、前記少なくとも１つのサブフレーム内の前記干渉を検出するステップを含む請求項２に記載の方法。
【請求項４】
前記第１の基地局および前記第２の基地局が、アップリンクおよびダウンリンク・シグナリングのために前記ＴＤＤフレーム中の前記サブフレームの第１および第２の割振りを使用するように構成され、前記メッセージを送信するステップが、前記第１の割振りと第２の割振りとの間の不整合を示すメッセージを送信するステップを含む請求項１に記載の方法。
【請求項５】
前記第１および第２の割振りが、アップリンクおよびダウンリンク・シグナリングに対する前記サブフレームの割振りの所定のセットから選択される請求項４に記載の方法。
【請求項６】
前記第１または第２の基地局のうちの少なくとも１つがサブフレームの前記対応する第１のまたは第２の割振りを修正したことに応答して、前記少なくとも１つのサブフレームで干渉を検出するステップを含む請求項４に記載の方法。
【請求項７】
前記メッセージが、前記ＴＤＤフレーム内のサブフレームに対応するエントリを含むビットマップを含み、前記メッセージを送信するステップが、前記第１の基地局によって検出された干渉を受けている前記サブフレームを示すビットマップを送信するステップを含み、前記干渉がしきい値より上である請求項１に記載の方法。
【請求項８】
前記メッセージが、前記第１の基地局によって検出された干渉を受けているサブフレーム数を示すように構成され得る複数のビットを含み、前記干渉がしきい値より上である請求項１に記載の方法。
【請求項９】
第１の基地局でのアップリンク信号の受信のために割り振られた時分割複信（ＴＤＤ）フレームの少なくとも１つのサブフレームで前記第１の基地局が干渉を検出したことを示すメッセージを前記第１の基地局から第２の基地局で受信するステップであって、前記干渉の一部が、前記ＴＤＤフレームの前記少なくとも１つのサブフレームで前記第２の基地局からのダウンリンク送信によって生成される、ステップと、
前記メッセージを受信したことに応答して、前記第２の基地局からの送信を修正して、前記少なくとも１つのサブフレームでの干渉を低減するステップと
を含む方法。
【請求項１０】
前記第１の基地局および前記第２の基地局が、アップリンクおよびダウンリンク・シグナリングのために前記ＴＤＤフレーム中の前記サブフレームの第１および第２の割振りを使用するように構成され、前記メッセージを受信するステップが、前記第１の割振りと第２の割振りとの間の不整合を示すメッセージを受信するステップを含む請求項９に記載の方法。
【請求項１１】
前記第１および第２の割振りが、アップリンクおよびダウンリンク・シグナリングに対する前記サブフレームの割振りの所定のセットから選択される請求項１０に記載の方法。
【請求項１２】
前記メッセージを受信するステップが、前記第１または第２の基地局のうちの少なくとも１つがサブフレームの前記対応する第１のまたは第２の割振りを修正したことに応答して、前記メッセージを受信するステップを含む請求項１０に記載の方法。
【請求項１３】
前記メッセージが、前記ＴＤＤフレーム内のサブフレームに対応するエントリを含むビットマップを含み、前記メッセージを受信するステップが、前記第１の基地局によって検出された干渉を受けている前記サブフレームを示すビットマップを受信するステップを含む請求項９に記載の方法。
【請求項１４】
前記メッセージが、前記第１の基地局によって検出された干渉を受けているサブフレーム数を示すように構成され得る複数のビットを含む請求項９に記載の方法。
【請求項１５】
前記第２の基地局からの送信を修正するステップが、前記ＴＤＤフレーム中の前記少なくとも１つのサブフレームで少なくとも１つのほぼブランクのサブフレームを送信するステップを含む請求項９に記載の方法。
【請求項１６】
前記第２の基地局からの送信を修正するステップが、前記ＴＤＤフレームの前記少なくとも１つのサブフレームでの送信のための少なくとも１つの送信電力を低減するステップを含む請求項９に記載の方法。
【請求項１７】
第１の基地局でのアップリンク信号の受信のために割り振られた時分割複信（ＴＤＤ）フレームの少なくとも１つのサブフレームで干渉を検出することであって、前記干渉の一部が、前記ＴＤＤフレームの前記少なくとも１つのサブフレームで第２の基地局からのダウンリンク送信によって生成されること、および
第１の基地局が前記少なくとも１つのサブフレームで前記干渉を検出したことを示すメッセージを前記第２の基地局に送信すること
を行うように構成された第１の基地局。
【請求項１８】
第２の基地局でのアップリンク信号の受信のために割り振られた時分割複信（ＴＤＤ）フレームの少なくとも１つのサブフレームで前記第２の基地局が干渉を検出したことを示すメッセージを前記第２の基地局から受信することであって、前記干渉の一部が、前記ＴＤＤフレームの前記少なくとも１つのサブフレームで第１の基地局からのダウンリンク送信によって生成されること、および
前記メッセージを受信したことに応答して、第１の基地局からの送信を修正して、前記少なくとも１つのサブフレームでの干渉を低減すること
を行うように構成された第１の基地局。
【発明の詳細な説明】
【技術分野】
【０００１】
関連出願の相互参照
本出願は、ＴＫＴＫ年ＴＫ月出願の米国特許出願第ＴＫ／ＴＫＴＫＴＫＴＫ号に関する［関連出願８１１３０１，２１００．０４９３００に関する情報を追加］。
【０００２】
本出願は、一般に通信システムに関し、より詳細にはワイヤレス通信システムに関する。
【背景技術】
【０００３】
ワイヤレス通信システムは、モバイル・ユニット、スマート・フォン、タブレット装置、ラップトップ、デスクトップ、および他のタイプのユーザ機器を含むワイヤレス対応装置への接続性を提供する装置のネットワークを含む。ネットワーク・アクセス装置は、基地局、基地局ルータ、アクセス・ポイント、ｅ−ｎｏｄｅ−Ｂ（ｅＮＢ）などを含む。ワイヤレス通信システム内のエンティティは一般に、エア・インターフェースを介する通信を容易にする規格および／またはプロトコルに準拠する。例えば、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ、３ＧＰＰ２）によって定義されたＬｏｎｇ  Ｔｅｒｍ  Ｅｖｏｌｕｔｉｏｎ（ＬＴＥ）規格および／またはプロトコルに従って動作するワイヤレス通信システムが現在開発されている。ＬＴＥ−Ａｄｖａｎｃｅｄ規格は、周波数分割複信（ＦＤＤ）と時分割複信（ＴＤＤ）のどちらもサポートする。サービス・プロバイダは、配置シナリオの状況に応じて、どちらのタイプのシステムも実装すると予想される。ＴＤＤシステムを配置する利点は、無線スペクトルの効率的な使用を含み、それは、ＴＤＤが単一の周波数リソースを使用し、ＦＤＤを実装するのに使用される対になった周波数リソースのセットを必要としないからである。
【０００４】
隣接する基地局および／またはユーザ機器間の干渉が、ＴＤＤシステム内のリソース共有の利点を低減する可能性がある。例えば、ある基地局がサブフレームでユーザ機器にダウンリンク信号を送信すると共に、別の基地局が同一のサブフレーム中に別のユーザ機器からアップリンク信号を受信しようと試みているとき、基地局−基地局（ＢＳ−ｔｏ−ＢＳ）干渉が生じる。別の例では、１つまたは複数のユーザ機器がサブフレームでアップリンク信号を送信していると共に、別のユーザ機器が同一のサブフレームでダウンリンク信号を受信しようと試みているとき、ユーザ機器−ユーザ機器干渉が生じる。
【発明の概要】
【課題を解決するための手段】
【０００５】
開示される主題は、上述の諸問題の１つまたは複数の問題の影響に対処することを対象とする。以下では、開示される主題のいくつかの態様の基本的理解を与えるために、開示される主題の簡略化された概要を提示する。この概要は、開示される主題の網羅的な概観ではない。この概要は、開示される主題の主要な要素または不可欠な要素を特定すること、または開示される主題の範囲を示すことを意図しない。その唯一の目的は、後で論じられるより詳細な説明の前置きとして、いくつかの概念を簡略化された形で提示することである。
【０００６】
一実施形態では、時分割複信に従って動作するワイヤレス通信システムでアップリンク過負荷インジケータを送信する方法が提供される。この方法の一実施形態は、第１の基地局でのアップリンク信号の受信のために割り振られた時分割複信（ＴＤＤ）フレームの少なくとも１つのサブフレームで第１の基地局が干渉を検出したことを示すメッセージを第１の基地局から第２の基地局に送信することを含む。干渉の一部は、ＴＤＤフレームのサブフレームで第２の基地局からのダウンリンク送信によって生成される。この方法の実施形態を実装するために、基地局の実施形態を構成することができる。
【０００７】
別の実施形態では、時分割複信に従って動作するワイヤレス通信システムでアップリンク過負荷インジケータを受信する方法が提供される。この方法の一実施形態は、第１の基地局でのアップリンク信号の受信のために割り振られた時分割複信（ＴＤＤ）フレームの少なくとも１つのサブフレームで第１の基地局が干渉を検出したことを示すメッセージを第１の基地局から第２の基地局で受信することを含む。干渉の一部は、ＴＤＤフレームの前記少なくとも１つのサブフレームで第２の基地局からのダウンリンク送信によって生成される。この方法のこの実施形態はまた、メッセージを受信したことに応答して、第２の基地局からの送信を修正して、サブフレームでの干渉を低減することをも含む。この方法の実施形態を実装するために、基地局の実施形態を構成することができる。
【０００８】
添付の図面と共に行われる以下の説明を参照することにより、開示される主題を理解することができ、添付の図面では、同様の参照番号が同様の要素を特定する。
【図面の簡単な説明】
【０００９】
【図１】ワイヤレス通信システムの第１の例示的実施形態を概念的に示す図である。
【図２Ａ】ワイヤレス通信システムの第２の例示的実施形態を概念的に示す図である。
【図２Ｂ】図２Ａに示されるセルに関連する割振りに対応するサブフレーム割振りを概念的に示す図である。
【図３】時分割複信通信で異なるサブフレーム割振りを使用する基地局間の干渉を管理する方法の例示的一実施形態を概念的に示す図である。
【発明を実施するための形態】
【００１０】
開示される主題は、様々な修正および代替形態が可能であるが、その特定の実施形態が、例として図面で示されており、本明細書で詳細に説明される。しかし、特定の実施形態の本明細書の説明は、開示される主題を開示される特定の形態に限定することを意図するものではなく、それどころか、添付の特許請求の範囲の範囲内に包含されるすべての修正形態、均等物、および代替実施形態をカバーするものであることを理解されたい。
【００１１】
例示的実施形態が以下で説明される。明快のために、実際の実装のすべての特徴が本明細書で説明されるわけではない。もちろん、任意のそのような実際の実施形態の開発では、実装ごとに異なる、システム関連およびビジネス関連の制約の遵守などの開発者の特定の目標を達成するために、多数の実装特有の決定を行うべきであることを理解されよう。さらに、そのような開発作業は複雑で時間がかかることがあるが、それでも本開示の特典を有する当業者にとっては定型的な作業となることを理解されよう。
【００１２】
これから、開示される主題を添付の図を参照しながら説明する。単に説明のために、当業者に周知の詳細で説明を不明瞭にしないように、様々な構造、システム、および装置は図面では概略的に示される。それでも、開示される主題の説明のための例を描写および説明するために添付の図面が含められる。本明細書で使用される語および句を、当業者によるそうした語および句の理解と一致する意味を有するように理解および解釈すべきである。用語または句の特別な定義、すなわち、当業者によって理解される通常の意味および慣例的な意味とは異なる定義が、本明細書の用語または句の一貫した用法によって示唆されることは意図されない。用語または句が特別な意味、すなわち当業者によって理解されるのとは異なる意味を有することが意図される範囲で、そのような特別な定義が、用語または句に関する特別な定義を直接的かつ明確に与える定義的な形で、本明細書で明白に説明される。
【００１３】
一般に、本出願は、時分割複信（ＴＤＤ）に従って動作するワイヤレス通信システムでのアップリンクおよびダウンリンク送信に対するサブフレームの割振りの動的再構成をサポートするのに使用することのできる技法の実施形態を説明する。例えば、ＬＴＥ−Ａｄｖａｎｃｅｄなどのワイヤレス通信規格は、異なるセル、基地局（ＢＳ）、またはｅＮＢが、アップリンクおよびダウンリンク送信に対するサブフレームの異なる割振りを選択することを可能にする。ＬＴＥ−Ａはまた、ＴＤＤシステムでのアップリンク／ダウンリンク・サブフレームの動的再構成もサポートする。例えば、動作中にｅＮＢのサブフレーム割振りを動的に変更することができ、例えば、ＬＴＥ−Ａによってサポートされる様々なサブフレーム構成の中から新しい割振りを選択するようにサブフレーム割振りを再構成することができる。しかし、隣接する基地局が異なるサブフレーム構成を使用するとき、著しいＢＳ−ｔｏ−ＢＳ干渉が生じる可能性がある。例えば、第１の基地局が、ダウンリンク送信に関するサブフレームを割り振るある構成で動作していることがあり、一方、隣接する（第２の）基地局が、アップリンク送信を受信するために同一のサブフレームを割り振る異なる構成で同時に動作している。したがって、第１の基地局がダウンリンク・シグナリングを供給していると同時に、ユーザ機器が第２の基地局にアップリンク信号を供給している場合、第２の基地局は、サブフレーム中に著しい干渉を受けることがある。
【００１４】
本明細書に記載の技法の実施形態は、干渉を検出する基地局が妨害側基地局にシグナリングすることを可能にする機構を提供する。次いで、妨害側基地局は、そのダウンリンク送信行動を修正して、干渉を軽減または回避することができる。例えば、第１の基地局は、メッセージまたは情報要素を送信して、第１の基地局と第２の基地局のＴＤＤサブフレーム割振り間の不整合により、第１の基地局によって使用される少なくとも１つのアップリンク・サブフレームで比較的高いレベルの干渉が生じていることを第２の（妨害側）基地局に通知することができる。検出した干渉が、同一のサブフレームでの第２の基地局からのダウンリンク送信によって生成されることがある。一実施形態では、干渉が第１の基地局および第２の基地局によって使用されるＴＤＤサブフレーム構成間の不整合に関係することを示すために、メッセージ内のフラグをセットすることができる。一代替実施形態では、メッセージはまた、第１の基地局が著しい干渉を受信していると識別するサブフレームを示すビットマップをも含むことができる。さらに別の実施形態では、１組のビットを使用して、それぞれの個々のサブフレームを示すのではなく、干渉を受けているアップリンク・サブフレーム数を示すことができる。これらの実施形態は相互排他的ではなく、互いに組み合わせて使用することができる。
【００１５】
図１に、ワイヤレス通信システム１００の第１の例示的実施形態を概念的に示す。図示する実施形態では、ワイヤレス通信システム１００は、ＴＤＤ規格および／またはプロトコルを使用してワイヤレス接続性を提供する基地局１０５、１１０を含む。例えば、基地局１０５、１１０は、３ＧＰＰによって確立されたＬＴＥ−Ａｄｖａｎｃｅｄ規格および／またはプロトコルに従って動作することができる。しかし、別法として、基地局１０５、１１０はエア・インターフェースを介する時分割複信をサポートする異なる規格および／またはプロトコルに従って動作することができることを本開示の特典を有する当業者は理解されたい。図示される実施形態では、基地局１０５、１１０は、インターフェース１１５を介してシグナリングおよび／またはメッセージを交換することにより、インターフェース１１５を介して通信することができる。例えば、インターフェース１１５は、ワイヤレス通信システム１００によってサポートされるＸ２バックホール・インターフェースでよい。Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって定義された規格および／またはプロトコルのＬｏｎｇ  Ｔｅｒｍ  Ｅｖｏｌｕｔｉｏｎ（ＬＴＥ）は、ｅ−ｎｏｄｅ  Ｂ（ｅＮＢ）間のシグナリングを提供するＸ２インターフェースを指定する。Ｘ２インターフェースは、モビリティ管理、負荷管理、エラー報告などに関するシグナリングを搬送するのに使用される。Ｘ２インターフェースの実施形態は、３ＧＰＰ技術仕様３６．４２３に記載されている。しかし、別の実施形態は、基地局１０５、１１０間の通信をサポートするためにルータ、スイッチ、ワイヤードおよび／またはワイヤレス・リンクなどの装置を含むことのできる他のタイプのインターフェースを使用することができる。
【００１６】
ＴＤＤリソースの複数のアップリンク／ダウンリンク割振りのうちの１つを使用して動作するように基地局１０５、１１０を構成することができる。アップリンク／ダウンリンク割振りの１つの例示的セットが表１に示されており、表１は、ＬＴＥ−Ａ規格および／またはプロトコルの実施形態によって定義されるアップリンク／ダウンリンク割振りを示す。表１は、ダウンリンク−アップリンクリソースの異なる比を有する７つの異なる利用可能な構成を示す。異なる構成はまた、異なる切換え点周期性（５ｍｓまたは１０ｍｓ）を提供し、ダウンリンク（Ｄ）送信、アップリンク（Ｕ）送信、および特別な（Ｓ）送信に異なるサブフレームを割り振る。しかし、表１に示される割振りは例示的なものであることを意図し、所定の割振りの代替セットを使用することもできることを本開示の特典を有する当業者は理解されたい。図示される実施形態では、基地局１０５、１１０は、利用可能な構成のいずれかを使用することができ、動作中に異なる構成間で動的に切り替わることができる。さらに、基地局１０５、１１０は、そのアップリンク／ダウンリンク割振りを独立して再構成することができる。ＴＤＤシステムのＦＤＤシステムに勝る利点のうちの１つは、そのエア・インターフェース・フレーム構造がアップリンク−ダウンリンク非対称であることである。したがって、１つのＴＤＤフレーム内で、アップリンクＴＴＩ数はダウンリンクＴＴＩ数とは異なる可能性があり、アップリンク／ダウンリンク比を動的に構成して、例えば、ＵＬ−ＤＬトラフィックの変動、変化する環境またはチャネル条件などに応答することができる。
【００１７】
【表１】
2015512176.tif 000003
【００１８】
基地局のうちの１つからのダウンリンク通信が、システム１００内の他の基地局（複数可）のアップリンク受信と干渉する可能性がある。図示する実施形態では、基地局１０５が、１つまたは複数のユーザ機器１２５にダウンリンク信号１２０を送信している。ダウンリンク信号１２０が、基地局１１０でのユーザ機器１３５からのアップリンク信号１３０の受信と同時に送信される。例えば、基地局１０５が、その対応するサブフレーム割振りによって基地局１１０に割り振られたアップリンク・サブフレームと同一の割り振られたダウンリンク・サブフレーム中にダウンリンク信号１２０を送信するように、基地局１０５、１１０が異なるサブフレーム割振りを使用していることがある。ダウンリンク信号１２０がサブフレーム中に基地局１１０によって受信されることがあり、したがってアップリンク信号１３０と干渉することがある。１つまたは複数のサブフレーム中に干渉が存在すると基地局１１０が判定したとき、基地局１１０は、基地局１１０でのアップリンク信号の受信のために割り振られたサブフレームで基地局１０５によって送信されたダウンリンク信号によって引き起こされた干渉を基地局１１０が検出したことを示すメッセージを基地局１０５に送信することができる。次いで、基地局１０５は、例えば送信電力を低減すること、および／またはほぼブランクのサブフレームを送信することにより、そのダウンリンク送信を修正してサブフレームでの干渉を低減することができる。
【００１９】
図２Ａに、ワイヤレス通信システム２００の第２の例示的実施形態を概念的に示す。図示される実施形態では、ワイヤレス通信システム２００が複数のセル２０５を含む。セル２０５内のユーザ機器が、１つまたは複数の基地局またはｅＮＢ（図２Ａには図示せず）とのエア・インターフェースを介してワイヤレス通信システム２００にアクセスすることができる。セル２０５は、同一のサービス・プロバイダまたは１つまたは複数の異なるサービス・プロバイダによって操作されることがあり、同一または異なる規格および／またはプロトコルに従って動作することがある。図示される実施形態では、セル２０５は時分割複信をサポートする。例えば、アップリンクまたはダウンリンク送信に対するサブフレームの割振りを示す複数のサブフレーム割振りのうちの１つを使用するようにセル２０５のそれぞれを構成することができる。異なるサブフレーム割振りが、セル２０５内の異なる円で囲った太字の数字で示されている。異なる実施形態では、例えば、チャネル条件、環境条件、アップリンクおよび／またはダウンリンクに関する要求されるサービス品質の変化、あるいはコンテキストの他の変動を反映するように、割振りが静的または動的に変化することがある。
【００２０】
異なるセル２０５によって選択され、および／または各セル２０５に割り当てられるサブフレーム割振りの不整合の結果、基地局−基地局干渉とも呼ばれることのあるセルラ間干渉が生じる可能性がある。例えば、隣接する、または近くのセル２０５（２、７）に関連するアップリンクおよびダウンリンク送信は、セル２０５（２）がダウンリンク送信用にサブフレームを割り振り、セル２０５（７）がアップリンク受信用に同一のサブフレームを割り振るとき、競合し、干渉することがある。そのケースでは、セル２０５（２）からのダウンリンク送信が、セル２０５（７）での受信したアップリンク送信と干渉することがあり、それにより、受信したアップリンク信号を検出および／または復号化することがより難しくなることがある。不整合であり、潜在的に干渉する可能性のあるサブフレーム数は、通信システム２００のトポロジおよびセル２０５によって使用されるサブフレーム割振りに依存する。
【００２１】
図２Ｂに、図２Ａに示されるセル２０５に関連する割振りに対応するサブフレーム割振り２１０を概念的に示す。図示される実施形態では、サブフレーム割振りが、５ｍｓの周期性（サブフレーム２１０（１、２）について）または１０ｍｓの周期性（サブフレーム２１０（３）について）を有する１ｍｓサブフレームの割振りを示す。ダウンリンク（Ｄ）、アップリンク（Ｕ）、または特別な（Ｓ）サブフレームにサブフレームを割り振ることができる。サブフレーム割振り２１０（３）の割振りとの比較を容易にするためにサブフレーム割振り２１０（１）が反復される。図示される実施形態では、サブフレーム割振り２１０（１、２）が、両方向の矢印で示されるように、２つのサブフレームで不整合である。第４および第９のサブフレームが、サブフレーム割振り２１０（１）のためのアップリンク（Ｕ）送信に割り振られるが、サブフレーム割振り２１０（２）ではダウンリンク（Ｄ）送信のために割り振られる。これらの不整合の割振りが、ＢＳ−ｔｏ−ＢＳ干渉の潜在的な候補である。サブフレーム割振り２１０（２、３）は、両方向の矢印によって示される４つのサブフレームで不整合であり、サブフレーム割振り２１０（１、３）は、両方向の矢印によって示される４つのサブフレームで不整合である。これらの不整合のサブフレームもＢＳ−ｔｏ−ＢＳ干渉の潜在的な候補である。
【００２２】
図３に、時分割複信通信で異なるサブフレーム割振りを使用する基地局間の干渉を管理する方法３００の例示的一実施形態を概念的に示す。図示される実施形態では、システム内の基地局が（３０５で）、ユーザ機器からのアップリンク送信の受信のために割り振られるサブフレーム中に受信した信号を監視することができる。例えば、基地局は、ネットワーク・リスニング・モードを使用してダウンリンク共通基準信号または他の信号を監視することができる。次いで、基地局は（３１０で）、受信した信号強度をしきい値信号強度と比較することができる。基地局は（３０５で）、受信した信号強度がしきい値未満のままである限り、受信した信号強度を引き続き監視する。しかし、他の基地局によって生成される干渉により、基地局がしきい値を超える高い信号強度を（３１０で）検出することがある。例えば、監視側基地局でアップリンク送信の受信のために割り振られる１つまたは複数のサブフレーム中に、異なるサブフレーム割振りを使用する隣接する基地局がダウンリンク信号を送信する場合、隣接する基地局からのダウンリンク送信が、受信したアップリンク信号と干渉する可能性がある。
【００２３】
干渉を検出する基地局は（３１５で）、監視側基地局と妨害側基地局のサブフレーム割振り間に不整合があるかどうかを判定することができる。異なる実施形態は、不整合が存在するかどうかを（３１５で）判定するために異なる技法を使用することができる。例えば、ネットワークは、異なる基地局によって使用されるサブフレーム割振りの記録を維持することができ、この情報を使用して不整合を検出することができる。不整合が存在しない場合、干渉はＢＳ−ｔｏ−ＢＳ干渉ではないことがあり、したがって基地局は、（３０５で）アップリンク・サブフレームを引き続き監視することができる。あるいは、（３１５で）検出された特定のタイプの干渉に関連する他の干渉軽減技法を使用して、干渉を低減することができる。基地局と妨害側基地局（複数可）との間でサブフレーム割振り不整合が存在する場合、基地局は、（３２０で）妨害側基地局またはｅＮＢに１つまたは複数のメッセージを送信することができる。
【００２４】
一実施形態では、基地局は、（３２０で）アップリンク過負荷インジケータ・レポートの修正後バージョンを送信することができる。従来型過負荷インジケータ・レポートは、過負荷インジケータで示されるアップリンク物理リソース・ブロックで送信することがスケジューリングされるユーザ機器の最大送信電力を制限するように受信側基地局に指令する。例えば、ＴＳ３６．４２３のセクション９．２．１７では、ＵＬ干渉過負荷インジケータは、以下のように定義される情報要素である。
【００２５】
【表２】
2015512176.tif 000004
一実施形態では、メッセージを使用して、例えば過負荷インジケータを送信する基地局でのアップリンク送信に割り振られる物理リソース・ブロックで、受信側基地局にそのダウンリンク送信電力を制限するように指令することができるように過負荷インジケータが修正される。例えば、サブフレーム割当てまたは基地局と妨害側基地局との間の割振り不整合を示すためにＴＲＵＥにセットされるブール値を有するフィールドを含むように過負荷インジケータ情報要素を修正することができる。
【００２６】
【表３】
2015512176.tif 000005
この実施形態では、過負荷がＴＤＤサブフレーム構成に関係する可能性があることを受信側ｅＮＢ（妨害側）に通知するのに単一ビット「Ｆｌａｇ」が使用される。ＴＳ  ３６．４２３のセクション９．２．８のＴＤＤ  Ｓｕｂｆｒａｍｅ  Ａｓｓｉｇｎｍｅｎｔを参照されたい。アップリンク過負荷インジケータの使用は実装特有のものであるとしても、受信側ｅＮＢが取るべき行動は、過負荷インジケータに対する従来型の応答とは異なる。例えば、受信側基地局は、メッセージ内の情報を使用して、異なる基地局によって使用されるサブフレーム割当てに応じて、あるサブフレームでのダウンリンク送信を制御または制限することができる。いくつかの実施形態では、不整合は、基地局のいずれかによって使用されるサブフレーム割振りの変化によるものであることがある。現在のＴＤＤサブフレーム割振り情報要素は、迅速にシグナリングされ、物理リソース・ブロック（ＰＲＢ）情報を含むように設計されないので、この適合された過負荷インジケータは、不整合をシグナリングするための「間接的な」情報要素を提供する。受信側基地局は、どのサブフレームが干渉を生み出しているか、およびどんな処置を取るべきかを判定することができる。一実施形態では、ＴＤＤ  ＵＬ−ＤＬ不整合フラグのシグナリングは任意選択でよい。
【００２７】
一代替実施形態では、過負荷インジケータ・メッセージは、しきい値より上の干渉を受信しているサブフレームを示すビットマップを含むことができる。妨害側基地局は、ビットマップ内の情報を使用して、ダウンリンク送信を修正し、ビットマップで識別されるサブフレーム内の干渉を低減することができる。妨害側基地局は、サブフレームで送信電力を低減することができ、かつ／またはほぼブランクのサブフレーム（ＡＢＳ）を送信することができる。例えば、妨害側基地局は、妨害側基地局がデータ・トラフィックの送信を迂回する間、ほぼブランクのサブフレームを送信することができるが、ほぼブランクのサブフレームの間、システム情報、ブロードキャスト情報、タイミング、基準信号などを引き続き送信することができる。次いで、既存のＡＢＳ情報シグナリングを介して、ほぼブランクのサブフレームのセットの指示を示すことができる。過負荷インジケータでビットマップを送信することにより、位置だけではなく、ＵＬ−ＤＬ干渉サブフレーム数も提供することができる。いくつかの実施形態では、干渉サブフレーム位置は、異なる基地局のサブフレーム割当てと、妨害側基地局でのＵＥスケジューリングのどちらにも依存するので、妨害側基地局からのすべてのダウンリンク送信により、ビットマップで示される干渉が生じるわけではないことがある。例えば、妨害側基地局がコリジョン・サブフレームでセル中心ＵＥをスケジューリングする場合、少なくとも部分的に、より低いダウンリンク送信電力を使用してセルの中心でユーザに情報を送信することができるので、コリジョン・サブフレームでのＤＬ干渉は、過負荷インジケータ・メッセージをトリガしないことがある。
【００２８】
干渉を含むサブフレームを示すメッセージの２つの例示的実施形態は、
【００２９】
【表４】
2015512176.tif 000006
【００３０】
【表５】
2015512176.tif 000007
【００３１】
さらに別の代替実施形態は、メッセージを使用して、基地局で干渉を受けているサブフレーム数を示す情報を送信する。過負荷インジケータは、「干渉を受けた」基地局で干渉を受けているアップリンク・サブフレーム数を妨害側基地局に通知するいくつかのビットを含む。例えば、干渉を受けるサブフレーム数を示すのに３つのビットが使用される場合、０００を使用して、干渉なしを示すことができ、０１０を使用して、２つのサブフレームが干渉を受けていることを示すことができ、以下同様である。干渉を受けているサブフレーム数を示すためのビットを含むメッセージの一例は、
【００３２】
【表６】
2015512176.tif 000008
本明細書に記載のメッセージは例示的なものであることを意図していることを本開示の特典を有する当業者は理解されたい。さらに、例示的メッセージは、相互排他的なオプションを示すことを意図しない。いくつかの実施形態では、基地局間のインターフェースは、異なる環境で使用することのできるこれらのメッセージの組合せおよび変形をサポートすることができる。
【００３３】
妨害側基地局は、妨害側基地局が１つまたは複数のサブフレームで干渉を検出した基地局によって（３２０で）送信されたメッセージを受信したとき、そのダウンリンク送信の特性を（３２５で）修正するステップを行うことができる。一実施形態では、妨害側基地局は、干渉を受けているサブフレームを識別することを試みることができ、次いで干渉を軽減するステップを行うことができる。例えば、基地局は、これらのサブフレームで送信電力を低減することができる。別の例では、妨害側基地局は、妨害側基地局がデータ・トラフィックの送信を迂回する間、ほぼブランクのサブフレームを送信することができるが、ほぼブランクのサブフレームの間、システム情報、ブロードキャスト情報、タイミング、基準信号などを引き続き送信することができる。次いで、既存のＡＢＳ情報シグナリングを介して、サブフレームのセットの指示を搬送することができる。干渉が基地局のうちの１つまたは複数のサブフレーム割振りでの修正によって生み出された不整合によるものであるケースでは、基地局のいずれかが、再構成プロセスを停止し、以前のサブフレーム割振りに戻ることによって干渉メッセージに応答することができる。例えば、以前のサブフレーム割振りが干渉に至るどんな不整合も含まない場合、システムは、以前のサブフレーム割振りに戻ることができる。あるいは、基地局は、サブフレーム割振りを交渉し、干渉に至る不整合を低減または解消することができる。
【００３４】
開示される主題および対応する詳細な説明の各部分が、ソフトウェア、アルゴリズム、およびコンピュータ・メモリ内のデータ・ビットに対する演算の記号表現によって提示される。これらの説明および表現は、それによって当業者がその研究の題材を他の当業者に効果的に伝達するものである。ここでその用語が使用され、一般に使用されるように、アルゴリズムは、所望の結果に至ステップの首尾一貫したシーケンスであると表現される。ステップは、物理量の物理的操作を必要とするものである。通常、必須ではないが、これらの量は、格納、転送、結合、比較、あるいは操作することのできる光学的、電気的、または磁気的信号の形を取る。時には、主に一般的な用法のために、これらの信号をビット、値、要素、シンボル、文字、用語、番号などと呼ぶことが好都合であることが判明している。
【００３５】
しかし、これらおよび類似の用語のすべては、適切な物理量に関連付けられるべきであり、これらの量に適用された好都合なラベルに過ぎないことに留意されたい。別段の記載がない限り、または議論から明らかなように、「処理」、「コンピューティング」、「計算」、「決定」、「表示」などの用語は、コンピュータ・システムのレジスタおよびメモリ内の物理的な電子量として表現されるデータを操作し、コンピュータ・システム・メモリまたはレジスタまたは他のそのような情報記憶、送信、または表示装置内の物理量として同様に表される他のデータに変換するコンピュータ・システム、または類似の電子コンピューティング装置の動作およびプロセスを指す。
【００３６】
開示される主題のソフトウェアで実装される態様は通常、何らかの形態のプログラム記憶媒体上に符号化され、または何らかのタイプの伝送媒体を介して実装されることにも留意されたい。プログラム記憶媒体は磁気式（例えば、フロッピィ・ディスクまたはハード・ドライブ）または光学式（例えば、コンパクト・ディスク読取り専用メモリ、すなわち「ＣＤ−ＲＯＭ」）でよく、読取り専用またはランダム・アクセスでよい。同様に、伝送媒体は、撚線対、同軸ケーブル、光ファイバ、または当技術分野で周知の何らかの他の適切な伝送媒体でよい。開示される主題は、所与の実装のこれらの態様によって限定されない。
【００３７】
上記で開示された特定の実施形態は例示的なものに過ぎず、開示される主題を修正し、本明細書の教示の特典を有する当業者にとって明らかな、異なるが等価な方式で実施することができる。さらに、以下の特許請求の範囲に記載されるもの以外に、図示される本明細書の構成または設計の詳細対する限定は意図されない。したがって、上記で開示される特定の実施形態を変更または修正できることは明らかであり、すべてのそのような変形は、開示される主題の範囲内にあるとみなされる。したがって、本明細書で求められる保護は、以下の特許請求の範囲に記載されている通りである。
【図２Ａ】
2015512176.tif 000009
【図２Ｂ】
2015512176.tif 000010
【図３】
2015512176.tif 000011
【図１】
2015512176.tif 000012
【国際調査報告】
2015512176.tif 000013
2015512176.tif 000014